(57)【特許請求の範囲】
【請求項１】
軸方向での一方側の軸端部に発電機が設けられるクランク軸を備える内燃機関と、変速された前記クランク軸の動力を出力する出力軸を備える変速機と、前記クランク軸および前記出力軸を収納する動力ケースと、を備える車両用動力装置であって、前記クランク軸と前記出力軸とが軸方向に直交する配列方向に間隔をおいて平行に配置され、前記出力軸からの動力を駆動車輪に伝達する出力伝達機構を構成する出力取出部材が前記出力軸の前記一方側の軸端部に設けられる車両用動力装置において、
前記クランク軸の他方側の軸端部には、始動電動機により駆動される始動用被動ギヤの回転を同クランク軸に伝達する一方向クラッチが設けられ、
前記発電機のロータの外径は前記クランク軸のクランクウェブの外径よりも大きく、前記出力取出部材は、軸方向での位置で、前記発電機に隣接するシリンダに属する前記クランク軸のクランクウェブを挟んで配置される１対のジャーナルをそれぞれ支持する１対の軸受支持部の間に配置され、
前記動力ケースの前記一方側の側壁に対面して前記発電機を覆う発電機カバーと、前記側壁に対面して前記出力取出部材を覆う保護カバーとが、側面視で、前記配列方向において部分的に重なる位置に備えられることを特徴とする車両用動力装置。
【請求項２】
前記出力伝達機構は、前記出力取出部材である駆動ホイールと、前記駆動ホイールに巻き掛けられる無端伝動帯と、前記無端伝動帯を案内する走行ガイドとから構成され、前記走行ガイドは、側面視で、前記配列方向において前記発電機カバーと部分的に重なる位置に配置されることを特徴とする請求項１記載の車両用動力装置。
【請求項３】
前記保護カバーまたは前記走行ガイドは、前記配列方向で前記クランク軸と対向する弧状部に、前記クランク軸が収納されるクランク室の室壁との干渉を回避すべく前記出力軸に向かって後退した形状の後退部を有することを特徴とする請求項２記載の車両用動力装置。  
【請求項４】
前記走行ガイドは、前記駆動ホイールの回転中心線を中心とする周方向で前記無端伝動帯の巻出し部または巻入れ部と重なる位置に幅広部を有し、側面視で、前記回転中心線から前記巻出し部または前記巻入れ部を通って延びる半直線上での前記無端伝動帯と前記幅広部との間の間隔は、前記半直線上での前記幅広部の幅よりも小さく、前記幅広部には窓が形成されていることを特徴とする請求項２または３記載の車両用動力装置。
【発明の詳細な説明】
【技術分野】
【０００１】
本発明は、車両に搭載される車両用動力装置に関し、詳細には、発電機が設けられるクランク軸を備える内燃機関と、駆動車輪に動力を伝達する出力伝達機構を構成する出力取出部材が設けられる出力軸を備える変速機とを備える車両用動力装置に関する。
【背景技術】
【０００２】
自動二輪車に搭載される動力装置において、内燃機関が一方側の軸端部に発電機が設けられるクランク軸を備え、変速機が一方側の軸端部にドライブスプロケットが設けられる出力軸を備え、車幅方向を指向するクランク軸と出力軸とが互いに平行に配置されたものがある（例えば特許文献１参照）。
【特許文献１】実開平７−１７６９９号公報
【発明の開示】
【発明が解決しようとする課題】
【０００３】
クランク軸と出力軸とが、前後方向に間隔をおいて互いに平行に配置される動力装置において、クランク軸と出力軸との軸間距離を短縮して、動力装置を前後方向で小型化する場合、発電機を覆うクランクケースカバーとドライブスプロケットを覆うチェーンカバーとが干渉するため、前後方向での動力装置の小型化が制約される。また、クランク軸に設けられる発電機はクランク軸の回転変動を抑制する回転慣性質量として機能するが、発電機の重量を増加させることなく回転慣性質量を増加させるために発電機のロータの径が大きくされる場合にも、クランクケースカバーとチェーンカバーとの干渉が生じる。
【０００４】
本発明は、このような事情に鑑みてなされたものであり、請求項１〜４記載の発明は、クランク軸と出力軸とが配列方向に間隔をおいて平行に配置される動力装置を配列方向で小型化すること、および、発電機の重量増の防止または軽量化をしながら、発電機によるクランク軸の回転変動の効果的な抑制を図ることを目的とする。そして、請求項４記載の発明は、さらに、無端伝動帯を案内する走行ガイドの汎用性を高めることを目的とする。
【課題を解決するための手段】
【０００５】
請求項１記載の発明は、軸方向での一方側の軸端部に発電機が設けられるクランク軸を備える内燃機関と、変速された前記クランク軸の動力を出力する出力軸を備える変速機と、前記クランク軸および前記出力軸を収納する動力ケースと、を備える車両用動力装置であって、前記クランク軸と前記出力軸とが軸方向に直交する配列方向に間隔をおいて平行に配置され、前記出力軸からの動力を駆動車輪に伝達する出力伝達機構を構成する出力取出部材が前記出力軸の前記一方側の軸端部に設けられる車両用動力装置において、前記クランク軸の他方側の軸端部には、始動電動機により駆動される始動用被動ギヤの回転を同クランク軸に伝達する一方向クラッチが設けられ、前記発電機のロータの外径は前記クランク軸のクランクウェブの外径よりも大きく、前記出力取出部材は、軸方向での位置で、前記発電機に隣接するシリンダに属する前記クランク軸のクランクウェブを挟んで配置される１対のジャーナルをそれぞれ支持する１対の軸受支持部の間に配置され、前記動力ケースの前記一方側の側壁に対面して前記発電機を覆う発電機カバーと、前記側壁に対面して前記出力取出部材を覆う保護カバーとが、側面視で、前記配列方向において部分的に重なる位置に備えられる車両用動力装置である。
【０００６】
これによれば、発電機カバーと保護カバーとが互いに配列方向で重なる重合部を有するので、その重合部の分、配列方向でのクランク軸と出力軸との軸間距離が短縮される。
また、発電機のロータの外径が大きくなることで、発電容量を増加できると共に、発電機の重量増の防止または発電機の軽量化をしながら、回転慣性質量としての発電機によるクランク軸の回転変動を抑制できる。さらに、ロータよりも小さいクランクウェブを利用して、配列方向で出力軸をクランク軸に近接させることができる。
【０００７】
請求項２記載の発明は、請求項１記載の車両用動力装置において、前記出力伝達機構は、前記出力取出部材である駆動ホイールと、前記駆動ホイールに巻き掛けられる無端伝動帯と、前記無端伝動帯を案内する走行ガイドとから構成され、前記走行ガイドは、側面視で、前記配列方向において前記発電機カバーと部分的に重なる位置に配置されるものである。
【０００８】
これによれば、発電機カバーと走行ガイドとが互いに配列方向で重なる重合部を有するようになるまで、出力軸を配列方向でクランク軸に近接させることができる。
【０００９】
請求項３記載の発明は、請求項２記載の車両用動力装置において、前記保護カバーまたは前記走行ガイドは、前記配列方向で前記クランク軸と対向する弧状部に、前記クランク軸が収納されるクランク室の室壁との干渉を回避すべく前記出力軸に向かって後退した形状の後退部を有するものである。
【００１０】
これによれば、後退部により形成される空間を利用して、保護カバーまたは走行ガイドをクランク室の側壁に近接させて配置することにより、出力軸を配列方向でクランク軸に近接させることができる。
【００１３】
請求項４記載の発明は、請求項２または３記載の車両用動力装置において、前記走行ガイドは、前記駆動ホイールの回転中心線を中心とする周方向で前記無端伝動帯の巻出し部または巻入れ部と重なる位置に幅広部を有し、側面視で、前記回転中心線から前記巻出し部または前記巻入れ部を通って延びる半直線上での前記無端伝動帯と前記幅広部との間の間隔は、前記半直線上での前記幅広部の幅よりも小さく、前記幅広部には窓が形成されているものである。
【００１４】
これによれば、幅広部により走行ガイドと無端伝動帯との間の間隔を小さくできるので、同一の動力装置を異なる車両に搭載する場合などに、車体への内燃機関の搭載角度が異なる場合にも、巻出し部または巻入れ部と走行ガイドとの半直線上での間隔が大きくなることが抑制されるので、走行ガイドの案内機能が確保される。また、幅広部には窓が形成されるので、幅広部を有する走行ガイドが軽量化される。
【発明の効果】
【００１５】
請求項１記載の発明によれば、次の効果が奏される。すなわち、配列方向でのクランク軸と出力軸との軸間距離が短縮されるので、クランク軸と出力軸とが配列方向に間隔をおいて平行に配置される動力装置が配列方向で小型化される。また、発電機の重量増の防止または軽量化をしながら、発電機によりクランク軸の回転変動が効果的に抑制されたうえで、発電機のロータよりも小さいクランクウェブを利用して、配列方向でのクランク軸と出力軸との軸間距離が短縮されるので、動力装置が配列方向で小型化される。
請求項２記載の発明によれば、引用された請求項記載の発明の効果に加えて、次の効果が奏される。すなわち、発電機カバーと走行ガイドとが重合部を有するまで、配列方向でのクランク軸と出力軸との軸間距離が短縮されるので、動力装置が配列方向で小型化される。
請求項３記載の発明によれば、引用された請求項記載の発明の効果に加えて、次の効果が奏される。すなわち、後退部により形成される空間を利用して、配列方向でのクランク軸と出力軸との軸間距離が一層短縮されるので、動力装置が配列方向で一層小型化される。  
請求項４記載の発明によれば、引用された請求項記載の発明の効果に加えて、次の効果が奏される。すなわち、車体への内燃機関の搭載角度が異なる場合にも同一の走行ガイドにより、走行ガイドの案内機能が確保されるので、走行ガイドの汎用性が向上して、動力装置のコストが削減される。また、窓により幅広部を有する走行ガイドが軽量化される。
【発明を実施するための最良の形態】
【００１６】
以下、本発明の実施形態を図１ないし図７を参照して説明する。
図１，図２を参照すると、本発明が適用された車両用動力装置Ｐは、車両としての自動二輪車に搭載されるものであり、水冷式の多気筒４ストローク内燃機関Ｅと、該内燃機関Ｅが発生する動力を駆動車輪としての後車輪に伝達する動力伝達装置を構成するクラッチとしての多板摩擦式クラッチＣおよび変速機としての常時噛合い式歯車変速機Ｍと、を備える。
【００１７】
クランク軸８の回転中心線Ｌ１が車幅方向を指向する横置き配置で自動二輪車に搭載される内燃機関Ｅは、４つのシリンダ１ａが直列に配列されて一体成形されたシリンダブロック１と、シリンダブロック１の上端部に結合されるシリンダヘッド２と、シリンダヘッド２の上端部に結合されるヘッドカバー３と、シリンダブロック１の下端部に結合される下クランクケース21と、下クランクケース21の下端部に結合されるオイルパン５とから構成される機関本体を備える。
【００１８】
なお、明細書または特許請求の範囲において、軸方向はクランク軸の回転中心線に平行な方向であり、側面視とは軸方向から見ることを意味する。また、実施形態において、前後、上下および左右は、動力装置が車両に搭載された状態での前後、上下および左右をそれぞれ意味し、左側は、軸方向での一方側および他方側の一方であり、右側は、軸方向での一方側および他方側の他方である。
【００１９】
各シリンダ１ａに往復動可能に嵌合するピストン６は、コンロッド７を介してクランク軸８に連結される。内燃機関に備えられるクランク軸８は、シリンダブロック１の一部である下部により構成される第１クランクケースとしての上クランクケース11と第２クランクケースとしての下クランクケース21とが結合されて構成されるクランクケース４により形成されるクランク室10内に収納される。そして、クランク軸８は、上クランクケース11および下クランクケース21にそれぞれ一体成形されて設けられた軸受支持部としての軸受支持壁11ａ，21ａに挟持される主軸受９を介して、そのジャーナル８ｃにおいてクランクケース４に回転可能に支持され、上クランクケース11と下クランクケース21との分割面Ｈａ上に回転中心線Ｌ１を有する。
【００２０】
シリンダヘッド２には、シリンダ１ａ毎に、シリンダ軸線Ｌｃが延びる方向でピストン６に対向して形成される燃焼室30と、燃焼室30に開口して１対の吸気弁33により開閉される吸気ポート31および１対の排気弁34により開閉される排気ポート32とが形成され、さらに燃焼室30に臨む点火栓35が装着される。各吸気弁33および各排気弁34は、シリンダヘッド２に回転可能に支持される吸気カム軸36および排気カム軸37を備える頭上カム軸型の動弁装置によりクランク軸８の回転に同期して開閉される。そのために、各カム軸36，37は、クランク軸８の右側の軸端部８ａに設けられる駆動スプロケット38ａと、各カム軸36，37の右側の軸端部に設けられるカムスプロケット38ｂ，38ｃと、それらスプロケット38ａ，38ｂ，38ｃに掛け渡されるタイミングチェーン38ｄとから構成される動弁用の伝動機構38により、クランク軸８の１／２の回転速度で回転駆動される。
【００２１】
吸気装置からの吸入空気と燃料との混合気は、吸気ポート31を通って各吸気弁33の開弁時に各燃焼室30に流入し、点火栓35により点火されて燃焼する。燃焼室30内の燃焼ガスの圧力により駆動されて往復運動するピストン６がクランク軸８を回転駆動する。燃焼ガスは、排気ガスとして排気弁34の開弁時に排気ポート32に流出し、さらに排気装置を通じて外部に排出される。
【００２２】
クランク室10から軸方向（車幅方向および左右方向に一致する。）に突出する軸端部８ａには、クランク室10寄りから順に、駆動スプロケット38ａと、始動電動機により駆動される始動用被動ギヤ39の回転をクランク軸８に伝達する一方向クラッチ40とが設けられる。そして、上クランクケース11および下クランクケース21の右側の側壁12，22のそれぞれの一部であって軸方向に突出して形成された突出壁12ａ，22ａは、被動ギヤ39およびクラッチＣを囲む周壁を構成する。突出壁12ａ，22ａの軸方向での端面である合わせ面12ｂ，22ｂには、軸方向で側壁に対面してクラッチＣを右側から覆う右側のクランクケースカバー45が多数のボルトＢ１により結合され、該クランクケースカバー45および側壁12，22により、軸端部８ａ、駆動スプロケット38ａ、被動ギヤ39、クラッチＣおよび被動ギヤ50ｂが収納される共にクランク室10に開放する収納室28が形成される。
【００２３】
図２，図３，図５を参照すると、クランク室10から軸方向に突出するクランク軸８の左側の軸端部８ｂには発電機としての交流発電機41が設けられる。交流発電機41は、軸端部８ｂに結合されると共に外径がクランク軸８のクランクウェブ８ｅの外径よりも大きいロータ41ａと、後述する発電機カバー46に固定されるステータ41ｂとを有する。そして、上クランクケース11および下クランクケース21の左側の側壁13，23において軸方向に突出する突出壁13ａ，23ａは、交流発電機41を囲む周壁を構成する。突出壁13ａ，23ａの軸方向での端面である合わせ面13ｂ，23ｂには、軸方向で側壁13，23に対面して交流発電機41を左側から覆う左側のクランクケースカバーとしての発電機カバー46が多数のボルトＢ２により結合され、発電機カバー46および側壁13，23により軸端部８ｂおよび交流発電機41が収納される収納室29が形成される。
【００２４】
図１，図２を参照すると、クランク軸８の動力は、クランク軸８に一体成形された駆動ギヤ50ａおよび該駆動ギヤ50ａと噛合する被動ギヤ50ｂから構成される１次減速機構50を介してクラッチＣに伝達され、さらにクラッチＣから歯車変速機Ｍの入力軸であるメイン軸51に伝達される。そして、歯車変速機Ｍの出力軸であるカウンタ軸52は、メイン側変速ギヤ群53およびカウンタ側変速ギヤ群54の中から変速操作により選択された１対の変速ギヤによる所望の変速比で変速された後のクランク軸８の動力を出力し、カウンタ軸52からの動力はカウンタ軸52に設けられる駆動スプロケット61を備える２次減速機構60を介して後車輪に伝達される。
【００２５】
メイン軸51、カウンタ軸52および両変速ギヤ群53，54は、上クランクケース11の一部である後部により構成される第１ミッションケースとしての上ミッションケース14と、下クランクケース21の一部である後部により構成される第２ミッションケースとしての下ミッションケース24とから構成されるミッションケースにより形成されるミッション室20に収納される。
【００２６】
クランク室10の後方に位置するミッション室20は、前記ミッションケースの第１隔壁18および第２隔壁19により、クランク室10および収納室28から隔てられていると共に、クランク室10および収納室28と同様に下方に向かってオイルパン５内に開放している。ここで、第１隔壁18は、上ミッションケース14および下ミッションケース24の、クランクケース４内でのそれぞれの突出壁15，25により構成され、第２隔壁19は、上ミッションケース14および下ミッションケース24の、軸方向でのそれぞれの側壁16，26（側壁12，22の一部である後部により構成される。）により構成される。
【００２７】
ここで、前記ミッションケースが一体成形されたクランクケース４は、動力装置Ｐに備えられてクランク室10およびミッション室20を形成する動力ケースでもあり、該動力ケースは、クランク軸８、メイン軸51、カウンタ軸52および変速ギヤ群53，54を収納する。
【００２８】
図４を併せて参照すると、歯車変速機Ｍのメイン軸51は、第２隔壁19と、軸方向で第２隔壁19に対向する上ミッションケース14の左側の側壁17（上クランクケース11の後部の左側の側壁13の一部である。）とに、それぞれ１対の軸受55，56介して回転可能に支持される。カウンタ軸52は、第２隔壁19と、軸方向で第２隔壁19に対向する上ミッションケース14の側壁17および下ミッションケース24の側壁27（下クランクケース21の後部の左側の側壁23の一部である。）とに、それぞれ１対の軸受57，58を介して回転可能に支持される。
【００２９】
メイン軸51およびカウンタ軸52は、軸方向での位置でクランク軸８と重なる位置において、軸方向に直交する配列方向としての前後方向に間隔をおいてクランク軸８に平行に配置され、回転中心線Ｌ１に平行な回転中心線Ｌ２，Ｌ３をそれぞれ有する。そして、両回転中心線Ｌ２，Ｌ３は、回転中心線Ｌ１から同一またはほぼ同一の距離に位置する。また、カウンタ軸52の回転中心線Ｌ３は分割面Ｈａ上に位置し、メイン軸51は、回転中心線Ｌ１、軸端部８ａ，８ｂおよびカウンタ軸52よりも上方に配置される。それゆえ、分割面Ｈａは、両回転中心線Ｌ１，Ｌ３を含む基準平面Ｈ上の平面である。
【００３０】
また、メイン軸51は、クランク軸８よりも後方に間隔をおいて配置され、カウンタ軸52はメイン軸51よりも後方に僅かな間隔をおいてまたは前後方向での位置で一部が重なる位置に配置される。それゆえ、メイン軸51およびカウンタ軸52は、クランク軸８よりも後方に間隔をおいて配置されて、クランク軸８と前後の位置関係で配置される。ここで、後方は、前記配列方向での一方向および他方向での一方であり、前方は、前記配列方向での一方向および他方向での他方である。
【００３１】
図２，図３，図５を参照すると、ミッション室20から軸方向に突出するカウンタ軸52の左側の軸端部52ａには、出力取出部材としての出力用駆動ホイールである駆動スプロケット61が設けられる。駆動スプロケット61は、後車輪に設けられる出力用被動ホイールである被動スプロケットと、該被動スプロケットと駆動スプロケット61とに掛け渡される出力用無端伝動帯としての伝動チェーン62と、伝動チェーン62を駆動スプロケット61から外れないように案内する走行ガイドとしての１つのチェーンガイド63と共に、カウンタ軸52からの動力を後車輪に伝達する出力伝達機構としての２次減速機構60を構成する。
【００３２】
図２〜図４を参照すると、上ミッションケース14および下ミッションケース24の左側の側壁17，27に軸方向に突出して形成された１対の取付座17ａ，27ａには、保護カバーとしてのチェーンカバー70がボルトＢ３により結合され、該チェーンカバー70は、側面視で、駆動スプロケット61の全体と、伝動チェーン62の駆動スプロケット61への巻掛け部62ａの全体を含む伝動チェーン62の一部とを左側から覆う。
【００３３】
図２，図４，図５を参照すると、駆動スプロケット61は、軸方向での位置で、駆動スプロケット61の全体が、交流発電機41に軸方向で隣接するシリンダ１ａ（以下、「隣接シリンダ１Ａ」という。）と重なる位置、または隣接シリンダ１Ａに嵌合するピストン６のコンロッド７が連結されるクランクピン８ｈおよび１対のクランクウェブ８ｅを挟んで配置される１対のジャーナル８ｃをそれぞれ支持する１対の軸受支持壁11ａ，21ａ；11ａ，21ａの間に配置される。そして、駆動スプロケット61の全体は、回転中心線Ｌ１を中心とするクランク軸８の径方向でのクランク室10の室壁11ｗ，21ｗと軸方向で重なる位置にある。ここで、室壁11ｗ，21ｗは、それぞれ上クランクケース11および下クランクケース21の一部により構成され、軸方向で１対の軸受支持壁11ａ，21ａ；11ａ，21ａの間に位置する。そして、駆動スプロケット61および伝動チェーン62は、１対のクランクウェブ８ｅの間であって、軸方向でのほぼ中央に位置して、軸方向での位置で隣接シリンダ１Ａのシリンダ軸線Ｌｃと重なる位置にある。
【００３４】
チェーンカバー70は、軸方向での位置で、チェーンカバー70の全体が隣接シリンダ１Ａと重なる位置に配置され、チェーンカバー70の全体またはほぼ全体が１対の軸受支持壁11ａ，21ａ；11ａ，21ａの間に配置される。このため、チェーンカバー70は、軸方向での位置で、交流発電機41および発電機カバー46と重ならない位置にある。
【００３５】
図３，図５を参照すると、チェーンカバー70の周縁部のうち、前後方向でクランク軸８寄りの縁部71は、取付座17ａ，27ａ（図４参照）に対応する位置にボルトＢ３により締め付けられる１対の取付部72と、チェーンカバー70に仮組みされるチェーンガイド63を支持する支持部73と、伝動チェーン62の巻掛け部62ａに対して、駆動スプロケット61の回転中心線でもある回転中心線Ｌ３の径方向で外方に位置すると共に両取付部72の間の弧状部74とを有する。
【００３６】
前後方向でクランク軸８または室壁11ｗ，21ｗと駆動スプロケット61との間に駆動スプロケット61の外周に沿って配置される弧状部74は、前後方向または駆動スプロケット61の径方向でクランク軸８と対向する部分に、室壁11ｗ，21ｗとの干渉を回避すべく、前後方向でカウンタ軸52の軸端部52ａに向かって後退した形状の後退部74ａを有する。後退部74ａは、側面視で、弧状部74の他の部分との１対の境界部74ｂにおける回転中心線Ｌ３を中心とする外周面74b1と回転中心線Ｌ３との距離を半径とする仮想円弧75に対して、前後方向で駆動スプロケット61またはカウンタ軸52に近い外周面74a1を有する。それゆえ、後退部74ａは、カウンタ軸52の径方向外方での後退部74ａの外周としての外周面74a1が後退部74ａ以外の弧状部74の外周に比べて前後方向で駆動スプロケット61またはカウンタ軸52に近接している、すなわち外周面74a1と駆動スプロケット61またはカウンタ軸52との距離が短い部分である。そして、仮想円弧75から後退部74ａが後退していることにより形成された空間Ｒ１には、室壁11ｗ，21ｗの一部が入り込む。
【００３７】
各取付部72の近傍に設けられる支持部73は、図３（Ｂ）に示されるように、チェーンカバー70において、軸方向で取付座17ａ，27ａ（図４参照）に向かって突出して設けられる突出部からなるピンにより構成される。
【００３８】
図４を併せて参照すると、チェーンガイド63は、前後方向でクランク軸８寄りを、駆動スプロケット61の半周以上に渡って覆う。軸方向で、側壁17，27とチェーンカバー70との間に配置されるチェーンガイド63は、取付座17ａ，27ａとチェーンカバー70とに挟持され、取付座17ａ，27ａにねじ込まれるボルトＢ３によりチェーンカバー70と共締めされて、側壁17，27に取り付けられる。この取付状態で、チェーンガイド63のほぼ全体は側面視でチェーンカバー70の縁部71と重なり、カウンタ軸52の径方向外方でのチェーンカバー70の外周およびチェーンガイド63の外周はほぼ一致する。
【００３９】
金属製の板材からなる弧状のチェーンガイド63は、チェーンガイド63の端部または端部付近に位置してボルトＢ３により締め付けられる１対の取付部64と、チェーンカバー70にチェーンガイド63を仮組みするための組付部65と、伝動チェーン62の巻掛け部62ａに対して回転中心線Ｌ３の径方向で外方に位置すると共に両取付部64の間の弧状部66とを有する。
【００４０】
駆動スプロケット61の上方および下方で各取付座17ａ，27ａに結合される両取付部64には、ボルトＢ３が挿通される挿通孔64ａが設けられる。各取付部64の近傍に設けられる組付部65は、支持部73が挿入される孔65ａが設けられた部分である。そして、チェーンガイド63は、組付部65の孔65ａに支持部73が挿入されることにより、組付部65において支持部73に支持された状態で組み付けられてチェーンカバー70と一体化され、その後、ボルトＢ３によりチェーンカバー70と共に取付座17ａ，27ａに結合される。
【００４１】
前後方向でクランク軸８または室壁11ｗ，21ｗと駆動スプロケット61との間に配置される弧状部66は、前後方向または駆動スプロケット61の径方向で、クランク軸８と対向する部分に、室壁11ｗ，21ｗとの干渉を回避すべく、前後方向でカウンタ軸52に向かって後退した形状の後退部66ａを有する。後退部66ａは、チェーンガイド63の幅が、チェーンガイド63の他の部分に比べて小さくされた部分であり、側面視で、チェーンガイド63の他の部分との１対の境界部66ｂにおける回転中心線Ｌ３を中心とする外周面66b1と回転中心線Ｌ３との距離を半径とする仮想円弧67に対して、前後方向で駆動スプロケット61またはカウンタ軸52に近い外周面66a1を有する。それゆえ、後退部66ａは、カウンタ軸52の径方向外方での後退部66ａの外周としての外周面66a1が後退部66ａ以外の弧状部66の外周に比べて前後方向で駆動スプロケット61またはカウンタ軸52に近接している、すなわち外周面66a1と駆動スプロケット61またはカウンタ軸52との距離が短い部分である。そして、仮想円弧67から後退部66ａが後退していることにより形成された空間Ｒ２には室壁11ｗ，21ｗの一部が入り込む。側面視で、基準平面Ｈに直交する直線状またはほぼ直線状の形状を有する両外周面74a1，66a1は一致しており、後退部66ａと後退部74ａとはその全体でほぼ重なる。
【００４２】
そして、図３を参照すると、動力装置Ｐにおいて、発電機カバー46と、チェーンカバー70およびチェーンガイド63とは、側面視で、前後方向において部分的に重なる位置に備えられる。より具体的には、図５を併せて参照すると、交流発電機41が駆動スプロケット61よりも左側に位置することに対応して、発電機カバー46はチェーンカバー70よりも左側にある。そして、側面視で、発電機カバー46と、チェーンカバー70およびチェーンガイド63とは、それぞれ、基準平面Ｈに直交する方向で、基準平面Ｈとの交差部46c1，76ｃ，68ｃを中心にして後退部74ａ，66ａの幅ｄ１よりも大きい幅ｄ２に渡って、前後方向において重なる重合部46ｃ，76，68を有する。
【００４３】
発電機カバー46の重合部46ｃは、合わせ面13ｂ，23ｂに結合される合わせ面46ｂを有する周縁部46ａにおいて前後方向でカウンタ軸52寄りの部分である。それゆえ、チェーンカバー70の重合部76およびチェーンガイド63の重合部68は、側面視で突出壁13ａ，23ａおよびその合わせ面13ｂ，23ｂとも重なる。一方、チェーンカバー70の重合部76は、縁部71において前後方向でクランク軸８寄りの部分であり、該重合部76には外周面74a1の全体および後退部74ａの過半が含まれる。さらに、チェーンガイド63の重合部68には後退部66ａの全体が含まれる。
【００４４】
また、クランク軸８と駆動スプロケット61および伝動チェーン62との間に位置して、前後方向またはカウンタ軸52の径方向で後退部74ａ，66ａと対向する室壁11ｗ，21ｗは、軸受支持壁11ａ，21ａ（図２参照）に比べて大きな強度が要求されないことから、比較的薄肉にすることができるので、その分、チェーンカバー70およびチェーンガイド63を前後方向でクランク軸８に近づけることができる。そして、発電機カバー46、チェーンカバー70およびチェーンガイド63が、側面視で、前後方向において部分的に重なることにより、室壁11ｗ，21ｗが、前後方向で重合部46ｃ，76，68および突出壁13ａ，23ａよりもクランク軸８寄りに位置するため、鋳造により成形される上クランクケース11および下クランクケース21は、分割面Ｈａに直交する方向に型抜きされる。
また、重合部46ｃ，76，68よりも下方（すなわちオイルパン５寄り）で、側面視で発電機カバー46および駆動スプロケット61との間の空間には、内燃機関Ｅの冷却水系統を構成する水ポンプ80が配置される。側壁27の嵌合孔27ｅ（図４参照）に嵌合した状態でボルトにより締結されて下クランクケース21に装着される水ポンプ80は、シリンダブロック１およびシリンダヘッド２にそれぞれ形成された水ジャケットＷ１，Ｗ２（図２参照）に冷却水を圧送する。
【００４５】
次に、前述のように構成された実施形態の作用および効果について説明する。
動力装置Ｐにおいて、動力ケースとしてのクランクケース４の側壁13，23に対面して交流発電機41を覆う発電機カバー46と、該側壁13，23の一部である側壁17，27に対面して駆動スプロケット61を覆うチェーンカバー70とが、側面視で、前後方向において部分的に重なる位置に備えられることにより、発電機カバー46とチェーンカバー70とが互いに前後方向で重なる重合部46ｃ，76を有するので、その重合部46ｃ，76の分、前後方向でのクランク軸８とカウンタ軸52との軸間距離が短縮されるので、クランク軸８とカウンタ軸52とが前後方向に間隔をおいて平行に配置される動力装置Ｐが前後方向で小型化される。
【００４６】
さらに、以下の（１）〜（３）の構成により、前後方向でのクランク軸８とカウンタ軸52との軸間距離が短縮されて、動力装置Ｐが前後方向で小型化される。
（１）２次減速機構60は、駆動スプロケット61と、該駆動スプロケット61に巻き掛けられる伝動チェーン62と、伝動チェーン62を案内するチェーンガイド63とから構成され、チェーンガイド63は、側面視で、前後方向において発電機カバー46と部分的に重なる位置に配置されることにより、発電機カバー46とチェーンガイド63とが互いに前後方向で重なる重合部46ｃ，68を有するようになるまで、カウンタ軸52を前後方向でクランク軸８に近接させることができる。
（２）チェーンカバー70およびチェーンガイド63は、前後方向でクランク軸８と対向する弧状部66に、クランク軸８が収納されるクランク室10の室壁11ｗ，21ｗとの干渉を回避すべくカウンタ軸52に向かって後退した形状の後退部74ａ，66ａを有することにより、後退部74ａ，66ａにより形成される空間Ｒ１，Ｒ２を利用して、チェーンカバー70およびチェーンガイド63を側壁11ｗ，21ｗに近接させて配置することにより、カウンタ軸52を前後方向でクランク軸８に近接させることができる。
（３）さらに、後退部74ａ，66ａにより形成される空間Ｒ１，Ｒ２に室壁11ｗ，21ｗが入り込むことにより、空間Ｒ１，Ｒ２に側壁11ｗ，21ｗが入り込む分、カウンタ軸52を前後方向でクランク軸８に近接させることができるので、前後方向でのクランク軸８とカウンタ軸52との軸間距離が一層短縮される。
【００４７】
交流発電機41のロータ41ａの外径はクランク軸８のクランクウェブ８ｅの外径よりも大きく、駆動スプロケット61は、軸方向での位置で、交流発電機41に隣接する隣接シリンダ１Ａに属するクランク軸８のクランクウェブ８ｅを挟んで配置される１対のジャーナル８ｃをそれぞれ支持する１対の軸受支持部11ａ，21ａ；11ａ，21ａの間に配置されることにより、ロータ41ａの外径が大きくなることで、発電容量を増加できると共に、交流発電機41の重量増の防止または交流発電機41の軽量化をしながら、回転慣性質量としての交流発電機41によるクランク軸８の回転変動を抑制できる。さらに、ロータ41ａよりも小さいクランクウェブ８ｅを利用して、前後方向でカウンタ軸52をクランク軸８に近接させることができるので、配列方向でのクランク軸８とカウンタ軸52との軸間距離が短縮されて、動力装置Ｐが配列方向で小型化される。
【００４８】
また、１つのチェーンガイド63が後退部66ａを有することにより、例えば基準平面Ｈ上にチェーンガイド63が配置されないように分割されたチェーンガイド63を使用することなく、したがって部品点数の増加および組付性の低下を防止したうえで、クランク軸８とカウンタ軸52との軸間距離を短縮できる。
【００４９】
次に、図６，図７を参照して、本発明の第２実施形態を説明する。この第２実施形態は、第１実施形態とは、主にチェーンガイドの一部が相違し、その他は基本的に同一の構成を有するものである。そのため、同一の部分についての説明は省略または簡略にし、異なる点を中心に説明する。なお、第１実施形態の部材と同一の部材または対応する部材については、必要に応じて同一の符号を使用した。
【００５０】
軸方向で、側壁17，27とチェーンカバー70との間に配置されるチェーンガイド90は、取付座17ａ，27ａとチェーンカバー70とに挟持され、取付座17ａ，27ａにねじ込まれるボルトＢ３によりチェーンカバー70と共締めされて、側壁17，27に取り付けられる。
【００５１】
チェーンガイド90は、チェーンガイド90の端部90ａおよび端部90ｂ付近にそれぞれ位置してボルトＢ３によりチェーンカバー70と共に締め付けられる１対の取付部64と、チェーンカバー70にチェーンガイド90を仮組みするための組付部65と、伝動チェーン62の巻掛け部62ａに対して駆動スプロケット61の回転中心線Ｌ３の径方向で外方に位置すると共に両取付部64の間の弧状部66と、巻掛け部62ａの両端部である巻入れ部62a1および巻出し部62a2のうちで巻出し部62a2に、回転中心線Ｌ３を中心とする周方向で重なる位置に幅広部91とを有する。
チェーンガイド90の一方の端部62a2を含む幅広部91の全体またはほぼ全体はチェーンカバー70により覆われており、幅広部91の一部は取付部64を構成する。そして、側面視で、回転中心線Ｌ３から巻出し部62a2を通って延びる半直線Ｌｅ上での伝動チェーン62と幅広部91の対向面91ａとの間の間隔ｄ３は、半直線Ｌｅ上での幅広部91の幅ｄ４よりも小さい。さらに、幅広部91には半直線Ｌｅと交差する位置に、チェーンカバー70の内側で軸方向での両方向に開放している窓92が形成されている。ここで、対向面91ａは、チェーンガイド90において、回転中心線Ｌ３を中心とする径方向で伝動チェーン62と対向する内縁部の面であって、伝動チェーン62を案内する案内面である。
【００５２】
各取付座17ａ，27ａに結合される取付部64には、ボルトＢ３が挿通される挿通孔64ａが設けられる。弧状部66は、室壁11ｗ，21ｗとの干渉を回避すべく、前後方向でカウンタ軸52に向かって後退した形状の後退部66ａを有する。仮想円弧67から後退部66ａが後退していることにより形成された空間Ｒ２には室壁11ｗ，21ｗの一部が入り込む。
そして、側面視で、発電機カバー46と、チェーンカバー70およびチェーンガイド90とは、それぞれ、前後方向において重なる重合部46ｃ，76，68を有する（図６参照）。
【００５３】
図６を参照すると、内燃機関Ｅの冷却系統は、水ジャケットＷ１，Ｗ２（図２参照）に冷却水を圧送する水ポンプ80と、内燃機関Ｅの暖機状態に応じてラジエータ（図示されず）への冷却水の流通および遮断を制御するサーモスタット81と、前記機関本体の外部で冷却水通路を形成する導管としてのホース82〜85や継手等からなる配管群とから構成される。
下クランクケース21に装着される水ポンプ80は、側壁27の嵌合孔27ｅ（図７参照）に嵌合すると共にクランク軸８の動力により駆動される駆動軸を回転可能に支持するポンプボディと、該ポンプボディに結合されるポンプカバー80ａとを備える。
【００５４】
前記駆動軸により駆動されるインペラが収納されるポンプ室を前記ポンプボディと協働して形成するポンプカバー80ａには、前記ラジエータで低温となった冷却水を水ポンプ80に導くホース82と、水ポンプ80からの冷却水をシリンダブロック１の水ジャケットＷ１（図２参照）に導くホース83と、内燃機関Ｅの暖機時に水ジャケットＷ１を経て水ジャケットＷ２（図２参照）から流出した冷却水を前記ラジエータを経ることなくサーモスタット81から水ポンプ80に導くバイパス用ホース84と、オイルポンプから吐出された潤滑油を冷却するオイルクーラ86に水ポンプ80からの冷却水を導くオイルクーラ用ホース85とが接続される。
また、シリンダヘッド２に取り付けられてシリンダブロック１およびシリンダヘッド２を冷却した後の冷却水が導かれるサーモスタット81には、内燃機関Ｅの暖機完了後に水ジャケットＷ２からの冷却水を前記ラジエータに導くホース（図示されず）が接続される。
【００５５】
ゴム製の各ホース82〜85のうち、ホース83およびバイパス用ホース84の一部は、チェーンカバー70の左側に配置されると共に、側面視でチェーンカバー70およびカウンタ軸52と重なる位置に、チェーンカバー70を上下方向に横切って配置される。そして、ホース84の外径に比べて大きい外径を有するホース83が、側面視でカウンタ軸52の大部分と重なる位置に配置され、側面視で、ホース84よりも広い範囲でチェーンカバー70と重なる。
【００５６】
そして、この第２実施形態によれば、第１実施形態と同様の作用および効果が奏されるほか、次の作用および効果が奏される。
チェーンガイド90は回転中心線Ｌ３を中心とする周方向で伝動チェーン62の巻出し部62a2と重なる位置に幅広部91を有し、側面視で、半直線Ｌｅ上での伝動チェーン62と幅広部91との間の間隔ｄ３は幅広部91の幅ｄ４よりも小さく、幅広部91には窓92が形成されていることにより、幅広部91により間隔ｄ３を小さくできるので、同一の動力装置Ｐを異なる車両に搭載する場合などに、車体への内燃機関Ｅの搭載角度、すなわち側面視での水平面とシリンダ軸線Ｌｃとがなす角度が異なる場合にも、巻出し部62a2とチェーンガイド90との半直線Ｌｅ上での間隔ｄ３が大きくなることが抑制されるので、チェーンガイド90の案内機能が確保される。また、幅広部91には窓92が形成されるので、幅広部91を有するチェーンガイド90が軽量化され、半直線Ｌｅと交差する位置にあるので幅ｄ４が大きい場合にもチェーンガイド90の重量の増加が抑制される。この結果、車体への内燃機関Ｅの搭載角度が異なる場合にも同一のチェーンガイド90により、チェーンガイド90の案内機能が確保されるので、チェーンガイド90の汎用性が高められて、動力装置Ｐのコストが削減される。そして、窓92により、幅広部91を有するチェーンガイド90が軽量化される。
【００５７】
また、幅広部91の一部により取付部64が構成されるので、幅ｄ４が広い幅広部91を利用して下クランクケース21への取付位置の自由度が高められるので、取付部64の位置に対する制約が少なくなる。さらに、幅広部91の全体またはほぼ全体がチェーンカバー70の内側に配置されてチェーンカバー70と重合することにより、その重合する分、チェーンカバー70に対する駆動スプロケット61と伝動チェーン62との噛合音、すなわち前記出力伝達機構から発生する騒音が遮蔽されるので、チェーンカバー70からの放射音が低減する。
【００５８】
いずれもゴム製のホース83およびホース84が、チェーンカバー70の左方で外側に、側面視でチェーンカバー70と重なる位置に配置されるので、チェーンカバー70およびその周辺からの駆動スプロケット61と伝動チェーン62との噛合音が低減される。しかも、ホース84に比べて大きい外径のホース83が、側面視でカウンタ軸52の大部分と重なる位置に配置され、側面視で、ホース84よりも広い範囲でチェーンカバー70と重なるので、騒音低減効果が高められる。
【００５９】
以下、前述した実施形態の一部の構成を変更した実施形態について、変更した構成に関して説明する。
無端伝動帯はベルトであってもよく、その場合、駆動ホイールは駆動プーリである。また、出力伝達機構がドライブシャフトを備える場合、出力取出部材は出力軸に設けられる出力ギヤである。
動力ケースは、クランク室を形成するクランクケースと、該クランクケースとは別個のミッションケースとから構成されてもよい。
幅広部91は、チェーンガイド90の一方の端部である巻出し部62a2側の端部90ｂを構成するものであったが、その代わりに、巻入れ部62a1側の端部90ａを構成するものであってもよい。さらに、チェーンガイド90は、両端部90ａ，90ｂにそれぞれ幅広部91を有するものであってもよい。
動力装置は、クランク軸の回転中心線が車幅方向以外の方向を指向するように車両に搭載されてもよい。
【図面の簡単な説明】
【００６０】
【図１】本発明の第１実施形態を示し、本発明が適用された車両用動力装置において、クランクケースに取り付けられるクランクケースカバーを外した状態で、一部が図２における概ねＩ−Ｉ線での断面で示される右側面図である。
【図２】図１の概ねＩＩ−ＩＩ線断面図である。
【図３】（Ａ）は、図１の動力装置の発電機カバーおよびチェーンカバーを中心とした要部左側面図であり、（Ｂ）は、（Ａ）のＢ−Ｂ線断面図である。
【図４】図１の動力装置において、チェーンガイドが配置された状態でのクランクケースの要部左側面図である。
【図５】図３のＶ−Ｖ矢視図である。
【図６】本発明の第２実施形態を示し、本発明が適用された車両用動力装置の発電機カバーおよびチェーンカバーを中心とした要部左側面図である。
【図７】図６の動力装置において、図４に対応する図である。
【符号の説明】
【００６１】
１…シリンダブロック、４…クランクケース、８…クランク軸、11…上クランクケース、21…下クランクケース、41…交流発電機、46…発電機カバー、46ｃ…重合部、52…カウンタ軸、61…駆動スプロケット、62…伝動チェーン、63，90…チェーンガイド、68…重合部、70…チェーンカバー、76…重合部、Ｐ…動力装置、Ｅ…内燃機関。
【図１】
0004578374.tif 000002
【図２】
0004578374.tif 000003
【図３】
0004578374.tif 000004
【図４】
0004578374.tif 000005
【図５】
0004578374.tif 000006
【図６】
0004578374.tif 000007
【図７】
0004578374.tif 000008